(57)【要約】【課題】簡単な構成で光軸方向の薄型化を達成でき且つ複数の光学的開口を得ることができる光量調整装置を提供する。【解決手段】絞り装置２１の押さえ板２２は光学系の開放Ｆナンバー相当の大きさよりも大きな光学的開口２６を有し、基板２５と共にスペーサ２４を前後から挟んで接着等により固定され、スペーサ２４の枠内に収容された遮光幕２３を移動可能に保持している。遮光幕２３は予め所定のピッチで電気的に分極されたエレクトレットを施され、第１、第２及び第３の光学的開口２７、２８及び２９を備えている。第１の光学的開口２７の大きさは光学系の開放Ｆナンバー相当の大きさであり、第２及び第３の光学的開口２８及び２９は順次小さく形成されている。基板２５には光学的開口３１を除く全面に遮光幕２３を駆動するための帯状電極３２が設けられている。この絞り装置２１は遮光幕２３を所定の位置に移動させて遮光幕２３の第１、第２又は第３の光学的開口２７、２８又は２９による３種類の光学的開口を得ることができる。【選択図】      図４
2006038886.tif 000002
【特許請求の範囲】
【請求項１】
予め所定の間隔で分極された遮光幕と、該遮光幕を駆動するための帯状電極と、で構成される光量調節装置にであって、
１枚の遮光幕に大きさの異なる複数の光学的開口を設けたことを特徴とする光量調節装置。
【請求項２】
前記遮光幕に設けられた複数の光学的開口は、前記遮光幕の移動方向と平行で且つ直線状に並んでいることを特徴とする請求項１記載の光量調節装置。
【請求項３】
前記遮光幕に設けられた複数の光学的開口には、光学系の開放Ｆナンバーに相当する大きさの光学的開口が含まれることを特徴とする請求項１記載の光量調節装置。
【請求項４】
光学系の開放Ｆナンバーに相当する大きさの前記光学的開口は、該光学的開口と異なる大きさの他の光学的開口に挟まれて配置されていることを特徴とする請求項３記載の光量調節装置。
【請求項５】
光学系の開放Ｆナンバーに相当する大きさの前記光学的開口と異なる大きさの他の前記光学的開口は、いずれも光学系の開放Ｆナンバーに相当する大きさよりも小さいことを特徴とする請求項３記載の光量調節装置。
【請求項６】
前記遮光幕を前記基板との間に移動可能に保持する光学的開口を有する押さえ板を具備することを特徴とする請求項１記載の光量調節装置。
【請求項７】
前記押さえ板は、光学系の開放Ｆナンバーに相当する大きさの光学的開口を備えていることを特長する請求項６記載の光量調節装置。
【請求項８】
前記遮光幕は、複数の光学的開口の間に前記押さえ板の光学的開口を完全に遮光する大きさの部位を備えていることを特徴とする請求項６記載の光量調節装置。
【請求項９】
前記遮光幕に設けられた複数の前記光学的開口は、いずれもその大きさが、光学系の開放Ｆナンバーに相当する大きさよりも小さいことを特徴とする請求項７記載の光量調節装置。
【請求項１０】
請求項１乃至９に記載の光量調節装置を光学系のシャッタ位置又は絞り位置に設けたことを特徴とするカメラ。
【発明の詳細な説明】
【技術分野】
【０００１】
本発明は、簡単な構成で光軸方向の薄型化を達成でき且つ複数の光学的開口を得ることができる光量調節装置に関する。
【背景技術】
【０００２】
近年、光学レンズなどを用いて結像させた被写体像をＣＣＤ（Charge Coupled Device ）などの撮像素子で電気信号に変換し、記録媒体に撮像画像として記録する電子カメラが広く普及している。
【０００３】
一般に、カメラには銀塩フィルム用カメラや電子カメラのいずれにおいても、被写体からの光路上の光学的開口部に、被写体からの光量を調節するための絞りや被写体の瞬時の像を捉えるためのシャッタを設けることが必要である。またシャッタの動作は連続撮影に即応できるほど良いことも、つとに知られている。
【０００４】
そのようなカメラのシャッタや絞りのような光量調節装置の駆動制御に誘導電荷型アクチュエータを用いる例も提案されている。その光量調節装置としては、１個のステータ（固定子、基板）に対しスライダ（移動子、遮光幕）が１個のものと２個のものがあり、いずれもスライダをシャッタ羽根又は絞り羽根として機能させるべく基板上にスライダ駆動用の帯状電極を設けた技術が開示されている。（例えば、特許文献１参照。）
また、回転電磁アクチュエータに組み込まれた１枚の絞り羽根に、複数の光学的開口が設けられている光量調整装置も開示されている。（例えば、特許文献２参照。）
【特許文献１】特開平０８−２２０５９２号公報（［要約］、図１、［００１１］、図２）
【特許文献２】特開平１０−２７４７９５号公報（［要約］、図１、図２）
【発明の開示】
【発明が解決しようとする課題】
【０００５】
ところで、特許文献１の技術では、誘導電荷型アクチュエータを応用して２枚のシャッタ羽根をそれぞれ個別に駆動して所望の開口径を得る絞り装置が開示されている。しかしこの特許文献１の技術構成では、帯状電極、シャッタ羽根、及び駆動制御等の構成が少なくとも２組必要となる。
【０００６】
また、特許文献２の技術は、複数の光学的開口が設けられている１枚の絞り羽根を回転電磁アクチュエータで駆動制御しているが、電磁アクチュエータの構成が複雑になるとともに、電磁アクチュエータを用いていることにより全体として光軸方向の薄型化の妨げになっている。
【０００７】
本発明の課題は、上記従来の実情に鑑み、簡単な構成で、光軸方向の薄型化を達成でき且つ複数の光学的開口を得ることができる光量調整装置及びそれを搭載したカメラを提供することである。
【課題を解決するための手段】
【０００８】
先ず、第１の発明の光量調節装置は、予め所定の間隔で分極された遮光幕と、該遮光幕を駆動するための帯状電極と、で構成される光量調節装置にであって、１枚の遮光幕に大きさの異なる複数の光学的開口を設けて構成される。
【０００９】
この光量調節装置において、上記遮光幕に設けられた複数の光学的開口は、例えば上記遮光幕の移動方向と平行で且つ直線状に並んでいるように構成され、また、例えば光学系の開放Ｆナンバーに相当する大きさの光学的開口が含まれるように構成される。
【００１０】
この場合、光学系の開放Ｆナンバーに相当する大きさの上記光学的開口は、例えば該光学的開口と異なる大きさの他の光学的開口に挟まれて配置されるように構成される。そして、光学系の開放Ｆナンバーに相当する大きさの上記光学的開口と異なる大きさの他の上記光学的開口は、例えばいずれも光学系の開放Ｆナンバーに相当する大きさよりも小さいように構成されることが好ましい。
【００１１】
また、この光量調節装置において、上記遮光幕を上記基板との間に移動可能に保持する押さえ板を具備するように構成される。この場合、上記押さえ板は、例えば光学系の開放Ｆナンバーに相当する大きさの光学的開口を備えているように構成される。
【００１２】
この場合、上記遮光幕は、例えば複数の光学的開口の間に上記押さえ板の光学的開口を完全に遮光する大きさの部位を備えているように構成してもよく、また、上記遮光幕に設けられた複数の上記光学的開口は、例えばいずれもその大きさが、光学系の開放Ｆナンバーに相当する大きさよりも小さいように構成することが好ましい。
【００１３】
次に、第２の発明のカメラは、上記構成の光量調節装置を光学系のシャッタ位置又は絞り位置に設けて構成される。
【発明の効果】
【００１４】
上述したように、本発明によれば、簡単な構成で複数の光学的開口を選択できる光量調節装置を得ることができる。
【発明を実施するための最良の形態】
【００１５】
以下、本発明の実施の形態を図面を参照しながら説明する。
（実施例１〜３）
図１は、本発明の光量調節装置を搭載したデジタルカメラの概略構成を示す図であり、上にデジタルカメラの前面からの外観を示す斜視図を示し、下にデジタルカメラ内部の主要部の配置状態を透視的に示す斜視図を示している。
【００１６】
図１の上に示すように、デジタルカメラ１は、前面右上隅に撮影レンズ窓２を備え、その左方にストロボ照射窓３を備えている。また、上面の左端部にはレリーズボタン４が設けられている。
【００１７】
そして、図１の下に示すように、デジタルカメラ１の内部は、全体の左方ほぼ２／３を占めて、各種の電子部品を搭載した回路基板５からなる制御装置や着脱交換自在な電池６などが配置されている。そして、その右方の全体のほぼ１／３を占める部分には、ユニット化されたレンズ装置７が配設されている。
【００１８】
レンズ装置７は、図１の上に示す撮影レンズ窓２から図１の下に示す撮影光軸Ｏ１に沿って入射する被写体からの光束を、その撮影光軸Ｏ１がほぼ直角に下方に折り曲がるように反射させ、その下方に折り曲げられた後述する第２の光軸Ｏ２に沿って、上記の入射光束を、レンズ装置７の下端部に配設されている例えばＣＣＤなどからなる撮像素子まで導いて撮像画像を生成する。
【００１９】
図２は、図１の下に示すレンズ装置７のＡ−Ａ´矢視断面をそのデジタルカメラ１の左方から見た図であり、レンズユニット各部の概略の構成を示している。図１の下に示したレンズ装置７の内部には、この図２に示すように上記下方に折り曲げられた第２の光軸Ｏ２に沿って、第１の固定鏡枠部８にレンズ群が保持された第１の固定レンのズ部９、第１の移動鏡枠１１にレンズ群が保持された第１の移動レンズ部１２、第２の移動鏡枠１３にレンズ群が保持された第２の移動レンズ部１４、第３の移動鏡枠１５にレンズが保持された第３の移動レンズ部１６、第２の固定鏡枠部１７にレンズが保持され第２の固定レンズ部１８及びこれらのレンズ部の終端には配置さえた撮像素子１９とで構成されている。
【００２０】
上記第１の移動レンズ部１２及び第２の移動レンズ部１４は、このレンズ装置７の光学系の第２の光軸Ｏ２に沿って入射する被写体の光束の焦点距離を変化させる、つまりズーム比調節用のために設けられ、第３の移動レンズ部１６は、上記の光束が撮像素子１９上に結像する焦点調節のために設けられている。そして、上記第１の移動レンズ部１２と第２の移動レンズ部１４の間には、シャッタ位置（絞り位置でもある）２０が設けられている。
【００２１】
図３は、図１の下に示したレンズ装置７をデジタルカメラ１の図１の下の背面側から見た拡大斜視図である。図３には、レンズ装置７の右に、レンズ装置７に組み付けられている絞り装置（又は絞りシャッタ装置）を単独に示している。
【００２２】
図３に示すように、レンズ装置７には、図２に示したシャッタ位置（絞り位置）２０に絞り装置（又は絞りシャッタ装置）２１が組み込まれている。絞り装置（又は絞りシャッタ装置）２１は、図３の右に示すように、長辺ａと短辺ｂからなる矩形の平らな板状体をなす装置であり、詳しくは後述するが第２の光軸Ｏ２の透過路となる光学的開口部を備えている。そして、この絞り装置（又は絞りシャッタ装置）２１の光学的開口部を透過する第２の光軸Ｏ２の終端すなわちレンズ装置７の下端部には、図２にも示した撮像素子１９が配置されている。
【実施例１】
【００２３】
図４は、左上に実施例１としての絞り装置２１の分解斜視図を示し、右にその組み上がり後の動作状態を三段に分けて示している。図４の左上に示すように、絞り装置２１は、押さえ板２２、遮光幕２３、スペーサ２４、及び基板２５が積層されて構成される。
【００２４】
押さえ板２２は、例えば金属又はセラミック等からなり、光学系の開放Ｆナンバー相当の大きさよりも大きな光学的開口２６を有し、基板２５と共にスペーサ２４を前後から挟んで接着等により固定されている。スペーサ２４の枠内には、遮光幕２３が収容され移動可能に保持される。
【００２５】
遮光幕２３には、図では定かに見えないが予め所定のピッチで電気的に分極された後述するエレクトレットが施されており、更に第１の光学的開口２７、第２の光学的開口２８、及び第３の光学的開口２９が設けられている。
【００２６】
本実施例では、上記遮光幕２３に設けられる第１の光学的開口２７の大きさを、光学系の開放Ｆナンバー相当の大きさに設定しており、また、第２の光学的開口２８は第１の光学的開口２７よりも小さく、更に第３の光学的開口２９は第２の光学的開口２８の大きさよりも小さくなるように設定されている。
【００２７】
基板２５は、例えば透明な部材（例えばガラス板）から成り、押さえ板２２の光学的開口２６に対応する位置に設定されている光学的開口３１を除く全面に、遮光幕２３を駆動するための帯状電極３２が設けられている。
【００２８】
この絞り装置２１は、組み上がり後において、図４の右に示すように、遮光幕２３を所定の位置に移動させることにより、遮光幕２３に形成されている第１、第２又は第３の光学的開口２７、２８又は２９による３種類の光学的開口が得られる。
【００２９】
上述したように、押さえ板２２に設けられた光学的開口２６の大きさは、光学系の開放Ｆナンバー相当の大きさ即ち遮光幕２３に設けられた第１の光学的開口２７の大きさよりも大きく設定してあり、したがって、光学系の開放Ｆナンバーは、遮光幕２３の第１の光学的開口２７によって決定される構成となっている。
【００３０】
尚、本実施例では、開口径切り替えの速度を考慮して、遮光幕２３のほぼ中央部に光学系の開放Ｆナンバー相当の光学的開口２７を設け、その両側に光学系の開放Ｆナンバー相当よりも小さな光学的開口２８及び２９を配置したが、これら３種類の光学的開口の配置については、これに限定されるものではない。
【００３１】
ここで、本発明における絞り装置（又は絞りシャッタ装置）における遮光幕を駆動する駆動原理を説明する。
図５は、本発明の絞り装置（又は絞りシャッタ装置）の駆動原理を説明する図である。尚、以下の駆動原理の説明では、基板２５に代えて固定子２５と言い、遮光幕２３に代えて移動子２３と言うことにする。また、遮光幕を駆動する機構をシャッタ機構ということにする。
【００３２】
本シャッタ機構は、基本的に固定子２５と移動子２３とを備え、移動子２３は、固定子２５に対して図５の上と下に示すように左右方向に移動自在に構成されている。そして、固定子２５には、被写体からの光像を撮像素子（図２、図３の撮像素子１９参照）に導くための開口部（光学的開口部３３）が設けられ、更に、複数の帯状電極３４が所定の間隔で並べて形成されている。他方の移動子２３は、遮光性を有する部材であり、永久分極された誘電体の部位を備えている。このような移動子２３の構成はエレクトレットと呼ばれている。
【００３３】
一般に、エレクトレットとは、電気を通しにくい例えばテフロン（登録商標）、ポリプロピレン、マイラーなどの高分子材料を加熱溶融し、これに直流の高電圧を加えながら電極の間で固化させたあとで電極を取り去ると、電極に接していた面が正または負に帯電し、これらの分極（正と負の電気に分かれた状態）が半永久的に保持されているもののことを称する用語である。
【００３４】
上記のシャッタ機構において、帯状電極３４に正負の電圧を周期的に印加すると、帯状電極３４と移動子２３の上記エレクトレットとの間に吸引力又は反発力が発生し、結果的に移動子２３が固定子２５に対して相対移動する。
【００３５】
したがって、移動子２３が固定子２５の開口部（光学的開口部３３）を開放又は遮蔽するように移動可能にすることによってシャッタ機構を構成することができる。図５の上はシャッタが開の状態を示し、図５の下はシャッタが閉の状態を示している。以下、本構成に係るシャッタ機構を「エレクトレットシャッタ」と称することにする。
【００３６】
なお、固定子２５の開口部（光学的開口部３３）は、必ずしも貫通孔のような物理的な開口部とする必要はなく、固定子２５を透過部材とし、開口部に相当する位置に帯状電極３４が設けられていない透過領域を形成するようにしても良い。
【００３７】
図６は、エレクトレットシャッタとその駆動回路を模式的に示す図である。同図は右にエレクトレットシャッタの断面を模式的に示し、左に駆動回路をブロック図で示している。同図に示すように、固定子２５に並べられたそれぞれの帯状電極３４には、駆動（電圧印加）回路３５からの電圧信号線が接続されている。この電圧信号線には４相の電圧信号が印加され、従って、帯状電極３４には、４本毎に同一の電圧信号が印加される。図６では、帯状電極３４にＡ、Ｂ、Ｃ、Ｄの符号を付してこの電圧信号を区別している。
【００３８】
この固定子２５の帯状電極３４の配設面に対向して移動子２３が配置されている。移動子２３は、固定子２５との対向面に永久分極された上述した誘電体（エレクトレット）３６を複数備えている。
【００３９】
同図の左に示す駆動回路３５では、パルス発生回路３７で矩形波列（駆動パルス信号）が生成され、この駆動パルス信号が昇圧回路３８と位相器３９に供給される。昇圧回路３８では、入力した駆動パルス信号を１００Ｖ程度まで昇圧するとともに、２つの極性を有する電圧信号に分岐して、駆動電極Ａ及びＣに供給する。
【００４０】
他方、位相器３９に入力した駆動パルス信号は、９０°位相が遅れた波形となり、その後、昇圧回路３８に入力されて、上述と同様の２つの極性を有する電圧信号に分岐されて駆動電極Ｂ及びＤに供給される。
【００４１】
図７は、駆動回路３５によって生成されて帯状電極３４に印加される電圧信号列を示す図である。帯状電極３４（Ａ、Ｂ、Ｃ、Ｄ）の電圧の状態は、期間Ｔにおけるｔ１〜ｔ４の４つの状態変化が時間ｔにおける期間Ｔごとの経過に対応して繰り返される。
【００４２】
図８は、上記のエレクトレットシャッタの動作を更に説明する図である。図８の(1) は図７において各帯状電極３４（Ａ，Ｂ，Ｃ，Ｄ）の電圧状態が、図７に示したｔ１の印加電圧の状態に切り替った直後のエレクトレットと駆動電極との対応関係を示している。
【００４３】
エレクトレット３６ａは、駆動電極Ａから反発力を受け、駆動電極Ｂから吸引力を受ける。また、エレクトレット３６ｂは、駆動電極Ｃから反発力を受け、駆動電極Ｄから吸引力を受ける。このため、移動子２３は図の右方向に力を受けて、１つの駆動電極ピッチｄだけ移動する。
【００４４】
図８の(2) は、上記に続いて図７に示したｔ２の印加電圧の状態に切り替った直後のエレクトレットと駆動電極との対応関係を示している。エレクトレット３６ａは、駆動電極Ｂから反発力を受け、駆動電極Ｃから吸引力を受ける。また、エレクトレット３６ｂは、駆動電極Ｄから反発力を受け、駆動電極Ａから吸引力を受ける。このため、移動子２３は図の右方向に力を受けて、再び１つの駆動電極ピッチｄだけ移動する。
【００４５】
図８の(3) は、上記に続いて図７に示したｔ３の印加電圧の状態に切り替った直後のエレクトレットと駆動電極との対応関係を示し、図８の(4) は、図８の(3) に続いて図７に示したｔ４の印加電圧の状態に切り替った直後のエレクトレットと駆動電極との対応関係を示している。図８の(1) 及び(2) で説明した動作と同様に、移動子２３は、１つの駆動電極ピッチｄだけ順次移動する。
【００４６】
そして、この動作が繰り返されることにより、移動子２３は図８の右方向に移動する。なお、移動子２３を図８の左方向に移動するためには、帯状電極３４に印加する電圧の極性を逆に切り替えればよい。
【００４７】
このように、本例の移動子２３は、それ自体が半永久的な分極帯電部を備えているので、例えば誘導電荷形アクチュエータのように、電圧印加、電荷蓄電及び静電誘導を繰り返す手数と時間を要することなく、単に駆動電圧の印加だけで移動子を迅速に駆動することができる。
【実施例２】
【００４８】
図９は、左上に実施例２としての絞り装置２１´の分解斜視図を示し、右にその組み上がり後の動作状態を三段に分けて示している。図９の左上に示すように、この絞り装置２１´も、押さえ板４１、遮光幕４２、スペーサ４３、及び基板４４が積層されて構成される。
【００４９】
上記いずれの部材も、素材及び組み上げ方法においては、図４に示した絞り装置２１と同様であるが、スペーサ４３以外の各部材の構成が、図４の場合とやや異なる。すなわち押さえ板４１は、光学系の開放Ｆナンバー相当の大きさの光学的開口４５を中央よりもやや図の右側に片寄った位置に形成されている。
【００５０】
また、基板４４も、押さえ板４１の光学的開口４５に対応して、中央よりもやや図の右側に片寄った位置に設定されている光学的開口４６を除く全面に、遮光幕４２を駆動するための帯状電極４７が設けられている。
【００５１】
そして、遮光幕４２は、図４の場合よりも長手方向が短く、押さえ板４１又は基板４４のほぼ１／２の長さに形成されており、第１の光学的開口４８と第２の光学的開口４９の２つの光学的開口を備えている。この絞り装置２１´における遮光幕４２の第１の光学的開口４８及び第２の光学的開口４９は、それぞれ図４の絞り装置２１における遮光幕２３の第２の光学的開口２８及び第３の光学的開口２９に対応している。
【００５２】
すなわち、この絞り装置２１´における遮光幕４２の第１の光学的開口４８は、押さえ板４１に形成されている光学系の開放Ｆナンバー相当の光学的開口４５よりも小さく、第２の光学的開口４９は、第１の光学的開口４８よりも更に小さく形成されている。
【００５３】
この絞り装置２１´は、組み上がり後において、図９の右上段に示すように、光学系の開放Ｆナンバー相当の光学的開口が選択され場合は、遮光幕４２は、押さえ板４１に設けられた光学系の開放Ｆナンバー相当の光学的開口４５から図の左側に完全に退避した状態となる。
【００５４】
そして、図の右中段に示すように、第１の光学的開口４８が選択されたときは遮光幕４２が押さえ板４１の中央に位置し、第２の光学的開口４９が選択されたときは遮光幕４２が押さえ板４１の右端に位置することによって、図４の場合と同様に３種類の光学的開口が得られるようになっている。
【実施例３】
【００５５】
図１０は、左上に実施例３としての絞りシャッタ装置２１″の分解斜視図を示し、右にその組み上がり後の動作状態を三段に分けて示している。尚、図１０の左上に示す分解斜視図には、図４の構成と同一構成部分には図４と同一の番号を付与して示している。
【００５６】
図１０の左上に示すように、本実施例における絞りシャッタ装置２１″は、押さえ板２２、遮光幕５１、スペーサ２４、及び基板２５が積層されて構成される。すなわち、この絞りシャッタ装置２１″は、図４の絞り装置２１に比較して遮光幕５１の構成のみが異なる。
【００５７】
本実施例における遮光幕５１は、長手方向両端部に第１の光学的開口５２と第２の光学的開口５３を備え、これら複数（本例では２つ）の光学的開口の間に、押さえ板２２の光学的開口２６を完全に遮光する大きさの遮光部位５４を備えている。
【００５８】
この絞り装置２１″は、組み上がり後において、図１０の右上段に示すように、遮光幕５１が押さえ板２２の右方に寄ったときは、遮光幕５１の第１の光学的開口５２が押さえ板２２の光学的開口２６に重なって、第１の光学的開口５２すなわち大径の光学的開口が選択された状態となり、遮光幕５１が押さえ板２２の中央に位置したときは、遮光幕５１の遮光部位５４が押さえ板２２の光学的開口２６を完全に遮光する状態となり、遮光幕５１が押さえ板２２の左方に寄ったときは、遮光幕５１の第２の光学的開口５３が押さえ板２２の光学的開口２６に重なって、第２の光学的開口５３すなわち小径の光学的開口が選択された状態となる。
【００５９】
このように構成することにより、１枚の遮光幕５１で、２つの絞り径の選択、並びにシャッタ機能も有することができる。また、押さえ板２２の光学的開口２６を完全に塞ぐ遮光部位５４を、第１の光学的開口５２と第２の光学的開口５３に挟まれる位置に配置したことにより、第１の光学的開口５２が選択された場合でも、第２の光学的開口５３が選択された場合であっても、押さえ板２２の光学的開口２６を塞く位置への切り替えが円滑に行われるようになる。
【００６０】
尚、実施例１及び２では、光学系の開放Ｆナンバー相当を含む３種類の光学的開口を選択できる構成とし、実施例３では２種類の光学的開口と完全遮光状態を選択できる構成を示したが、これに限ることなく、必要に応じた任意の数の光学的開口や完全遮光部位を設けてよいことは言うまでもない。
【図面の簡単な説明】
【００６１】
【図１】本発明の光量調節装置を搭載したデジタルカメラの概略構成を示す前面からの外観斜視図及びカメラ内部の主要部の配置状態を透視的に示す斜視図である。
【図２】図１の下に示すレンズ装置のＡ−Ａ´矢視断面をデジタルカメラの左方から見てレンズユニット各部の概略の構成を示す図である。
【図３】図１の下に示したレンズ装置をデジタルカメラの背面側から見た拡大斜視図である。
【図４】左上に絞り装置の分解斜視図を示し、右にその組み上がり後の動作状態を三段に分けて示している。
【図５】本発明の絞り装置（又は絞りシャッタ装置）の駆動原理を説明する図である。
【図６】本発明の絞り装置（又は絞りシャッタ装置）に係わるエレクトレットシャッタとその駆動回路を模式的に示す図である。
【図７】エレクトレットシャッタの駆動回路によって生成されて駆動電極に印加される電圧信号列を示す図である。
【図８】エレクトレットシャッタの動作を更に説明する図である。
【図９】左上に実施例２としての絞り装置の分解斜視図、右にその組み上がり後の動作状態を三段に分けて示す図である。
【図１０】左上に実施例３としての絞りシャッタ装置の分解斜視図、右にその組み上がり後の動作状態を三段に分けて示す図である。
【符号の説明】
【００６２】
１      デジタルカメラ
２      撮影レンズ窓
３      ストロボ照射窓
４      レリーズボタン
５      回路基板
６      電池
７      レンズ装置
８      第１の固定鏡枠部
９      第１の固定レンのズ部
Ｏ１    撮影光軸
Ｏ２    第２の光軸
１１    第１の移動鏡枠
１２    第１の移動レンズ部
１３    第２の移動鏡枠
１４    第２の移動レンズ部
１５    第３の移動鏡枠
１６    第３の移動レンズ部
１７    第２の固定鏡枠部
１８    第２の固定レンズ部
１９    撮像素子
２０    シャッタ位置（絞り位置）
２１、２１´  絞り装置
２１″  絞りシャッタ装置
２２    押さえ板
２３    遮光幕
２４    スペーサ
２５    基板
２７    第１の光学的開口
２８    第２の光学的開口
２９    第３の光学的開口
３１    光学的開口
３２    帯状電極
３３    光学的開口部
３４    帯状電極
３５    駆動（電圧印加）回路
３６    誘電体（エレクトレット）
３７    パルス発生回路
３８    昇圧回路
３９    位相器
４１    押さえ板
４２    遮光幕
４３    スペーサ
４４    基板
４５、４６  光学的開口
４７    帯状電極
４８    第１の光学的開口
４９    第２の光学的開口
５１    遮光幕
５２    第１の光学的開口
５３    第２の光学的開口
５４    遮光部位
【図１】
2006038886.tif 000003
【図２】
2006038886.tif 000004
【図３】
2006038886.tif 000005
【図４】
2006038886.tif 000006
【図５】
2006038886.tif 000007
【図６】
2006038886.tif 000008
【図７】
2006038886.tif 000009
【図８】
2006038886.tif 000010
【図９】
2006038886.tif 000011
【図１０】
2006038886.tif 000012